(57)【要約】【課題】ファイル群を表すインデックス画像をユーザが視認することによって、当該ファイル群を構成する各ファイルの内容をユーザが詳細に把握できるようにする。【解決手段】画像表示制御部２７によって表示されるファイル群を表すインデックス画像について、データ読み出し部２２が、当該インデックス画像の属するファイル、上記インデックス画像が当該ファイルの何ページ目にあたるかを確認して、画像表示制御部２７が上記インデックス画像の表示時に、当該インデックス画像が属するファイルと、当該ファイルにおいて何ページ目にあたるかの情報を表示する。【選択図】　図２
2004145568.tif 000002
【特許請求の範囲】
【請求項１】
コンピュータに対して、記録媒体に記録されている複数のファイルを関連付けて仮想的に１つのファイル群を生成し、当該ファイル群のインデックス画像を生成してディスプレイに表示させる画像表示プログラムにおいて、
前記ファイル群を構成する各ファイルのページ毎にインデックス画像を順次表示させるインデックス画像表示制御手段と、
前記インデックス画像表示制御手段によって表示されるインデックス画像が属するファイルを確認するファイル確認手段と、
前記インデックス画像表示制御手段によって表示されるインデックス画像が、前記ファイル確認手段によって確認されたファイルの何ページ目を示すものであるかを確認するファイルページ確認手段と、
前記インデックス画像表示制御手段による前記インデックス画像の表示時に、前記ファイル確認手段によって確認されたファイルと、前記ファイルページ確認手段によって確認されたページとを表示させるファイル情報表示制御手段としてコンピュータを機能させることを特徴とする画像表示プログラム。
【請求項２】
前記インデックス画像表示制御手段によって表示されるインデックス画像が、前記ファイル群を構成する全ファイルを通して何ページ目を示すものかを確認するファイル群ページ確認手段を備え、
前記インデックス画像表示制御手段による前記インデックス画像の表示時に、前記ファイル群ページ確認手段によって確認されたページを、前記ファイル情報表示手段が表示させるように、コンピュータを機能させることを特徴とする請求項１に記載の画像表示プログラム。
【請求項３】
前記インデックス画像表示制御手段によって表示されるインデックス画像が属するファイルの種類を、当該ファイルに付随するファイル情報から読み出すファイル種類読み出し手段を備え、
前記インデックス画像表示制御手段による前記インデックス画像の表示時に、前記ファイル種類読み出し手段が読み出したファイルの種類を、前記ファイル情報表示制御手段が表示させるように、コンピュータを機能させることを特徴とする請求項１又は請求項２に記載の画像表示プログラム。
【請求項４】
前記インデックス画像表示制御手段によって表示されるインデックス画像が属するファイルの用紙サイズを、当該ファイルに付随するファイル情報から読み出す用紙サイズ読み出し手段と、
前記インデックス画像表示制御手段によるインデックス画像の表示時に、前記用紙サイズ読み出し手段が読み出した用紙サイズを、前記ファイル情報表示制御手段が表示させるべく、コンピュータを機能させることを特徴とする請求項１乃至請求項３のいずれかに記載の画像表示プログラム。
【請求項５】
前記ファイル群を構成する総ファイル数を確認するファイル数確認手段と、
前記ファイル群が複数ファイルからなることを示すサンプル画像のデータを記憶する画像記憶手段とを備え、
前記ファイル数確認手段によって複数のファイル数が確認されたとき、前記ファイル情報表示制御手段が前記画像記憶手段から前記サンプル画像を読み出して、当該サンプル画像を前記ファイル群のインデックス画像の表示時に表示させるように、コンピュータを機能させることを特徴とする請求項１乃至請求項４のいずれかに記載の画像表示プログラム。
【請求項６】
記録媒体に記録されている複数のファイルを関連付けて仮想的に１つのファイル群を生成し、当該ファイル群のインデックス画像を生成してディスプレイに表示する画像表示装置において、
前記ファイル群を構成する各ファイルのページ毎にインデックス画像を順次表示させるインデックス画像表示制御手段と、
前記インデックス画像表示制御手段によって表示されるインデックス画像が属するファイルを確認するファイル確認手段と、
前記インデックス画像表示制御手段によって表示されるインデックス画像が、前記ファイル確認手段によって確認されたファイルの何ページ目を示すものであるかを確認するファイルページ確認手段と、
前記インデックス画像表示制御手段による前記インデックス画像の表示時に、前記ファイル確認手段によって確認されたファイルと、前記ファイルページ確認手段によって確認されたページとを表示させるファイル情報表示制御手段とを備えたことを特徴とする画像表示装置。
【発明の詳細な説明】
【０００１】
【発明の属する技術分野】
本発明は、記録媒体に記録されているファイルのインデックス画像を生成して、ディスプレイ画面上に表示技術に関する。
【０００２】
【従来の技術】
従来、コンピュータ内のハードディスクや、光ディスク等の記録媒体に記録されている文書データや画像データについて、画像を縮小したサイズのインデックス画像（サムネイル画像）を作成し、生成したインデックス画像をディスプレイ画面上に並べて一覧表示する画像表示装置及びそのための画像表示プログラムが知られている。このような画像表示装置及び画像表示プログラムには、インデックス画像がディスプレイ画面上に表示されているときに、ユーザが画面上で複数のインデックス画像を指定すると、これらのファイルを関連付けて仮想的に１つのファイル群として扱い、当該ファイル群を示すインデックス画像を生成してディスプレイに表示し、当該インデックス画像の表示時には当該ファイル群の総ファイル数を表示するようにしたものがある。
【０００３】
【発明が解決しようとする課題】
しかしながら、上記画像表示装置及び画像表示プログラムによってディスプレイに表示されるファイル群のインデックス画像は、ファイル群を構成する各ファイルのそれぞれの先頭ページのみがインデックス画像で表示されるに過ぎないため、ユーザは各ファイルの内容を詳細に把握することができなかった。
【０００４】
本発明は、上述した問題点を解決するためになされたものであり、一覧表示されたインデックス画像をユーザが視認すれば、ファイル群を構成する各ファイルの内容を詳細に把握することができる画像表示プログラム及び画像表示装置を提供することを目的とする。
【０００５】
【課題を解決するための手段】
上記目的を達成するために請求項１に記載の発明は、コンピュータに対して、記録媒体に記録されている複数のファイルを関連付けて仮想的に１つのファイル群を生成し、当該ファイル群のインデックス画像を生成してディスプレイに表示させる画像表示プログラムにおいて、
前記ファイル群を構成する各ファイルのページ毎にインデックス画像を順次表示させるインデックス画像表示制御手段と、
前記インデックス画像表示制御手段によって表示されるインデックス画像が属するファイルを確認するファイル確認手段と、
前記インデックス画像表示制御手段によって表示されるインデックス画像が、前記ファイル確認手段によって確認されたファイルの何ページ目を示すものであるかを確認するファイルページ確認手段と、
前記インデックス画像表示制御手段による前記インデックス画像の表示時に、前記ファイル確認手段によって確認されたファイルと、前記ファイルページ確認手段によって確認されたページとを表示させるファイル情報表示制御手段としてコンピュータを機能させるものである。
【０００６】
また、請求項６に記載の発明は、記録媒体に記録されている複数のファイルを関連付けて仮想的に１つのファイル群を生成し、当該ファイル群のインデックス画像を生成してディスプレイに表示する画像表示装置において、
前記ファイル群を構成する各ファイルのページ毎にインデックス画像を順次表示させるインデックス画像表示制御手段と、
前記インデックス画像表示制御手段によって表示されるインデックス画像が属するファイルを確認するファイル確認手段と、
前記インデックス画像表示制御手段によって表示されるインデックス画像が、前記ファイル確認手段によって確認されたファイルの何ページ目を示すものであるかを確認するファイルページ確認手段と、
前記インデックス画像表示制御手段による前記インデックス画像の表示時に、前記ファイル確認手段によって確認されたファイルと、前記ファイルページ確認手段によって確認されたページとを表示させるファイル情報表示制御手段と
を備えたものである。
【０００７】
これらの構成によれば、インデックス画像表示制御手段によって各ファイルのページ毎に表示されるインデックス画像について、当該インデックス画像の属するファイルをファイル確認手段が確認し、このインデックス画像が当該ファイルの何ページ目にあたるかをファイルページ確認手段が確認して、上記インデックス画像の表示時に、ファイル情報表示制御手段が、当該インデックス画像が属するファイルと、当該インデックス画像が当該ファイルの何ページ目を示すかとを表示する。これにより、ユーザは、ディスプレイの表示画面を視認すれば、表示されているインデックス画像が、ファイル群においてどのファイルの何ページ目を示しているかを容易に把握できるので、ファイル群を構成する各ファイルの内容を従来よりも詳細に把握することができる。
【０００８】
また、請求項２に記載の発明は、請求項１に記載の画像表示プログラムであって、前記インデックス画像表示制御手段によって表示されるインデックス画像が、前記ファイル群を構成する全ファイルを通して何ページ目を示すものかを確認するファイル群ページ確認手段を備え、
前記インデックス画像表示制御手段による前記インデックス画像の表示時に、前記ファイル群ページ確認手段によって確認されたページを、前記ファイル情報表示手段が表示させるように、コンピュータを機能させるものである。
【０００９】
この構成によれば、インデックス画像表示制御手段によって表示されるインデックス画像が、ファイル群を構成する全ファイルを通して何ページ目を示すものかをファイル群ページ確認手段が確認し、当該インデックス画像の表示時には、当該インデックス画像が全ファイルを通して何ページ目のものかをファイル情報表示制御手段が表示させる。これにより、ユーザは、ディスプレイの表示画面を視認すれば、表示されているインデックス画像が、ファイル群全体で通算何ページ目の画像を示すのかを容易に把握することができる。
【００１０】
また、請求項３に記載の発明は、請求項１又は請求項２に記載の画像表示プログラムであって、前記インデックス画像表示制御手段によって表示されるインデックス画像が属するファイルの種類を、当該ファイルに付随するファイル情報から読み出すファイル種類読み出し手段を備え、
前記インデックス画像表示制御手段による前記インデックス画像の表示時に、前記ファイル種類読み出し手段が読み出したファイルの種類を、前記ファイル情報表示制御手段が表示させるように、コンピュータを機能させるものである。
【００１１】
この構成によれば、インデックス画像表示制御手段によって表示されるインデックス画像について、当該インデックス画像が属するファイルの種類をファイル種類読み出し手段が読み出し、当該ファイル種類をインデックス画像と共にファイル情報表示制御手段が表示するので、ユーザは、ディスプレイの表示画面を視認すれば、表示中のインデックス画像が属するファイルの種類（例えば、当該ファイルを開くために用いるアプリケーションの種類等）を容易に把握することができる。
【００１２】
また、請求項４に記載の発明は、請求項１乃至請求項３のいずれかに記載の画像表示プログラムであって、前記インデックス画像表示制御手段によって表示されるインデックス画像が属するファイルの用紙サイズを、当該ファイルに付随するファイル情報から読み出す用紙サイズ読み出し手段と、
前記インデックス画像表示制御手段によるインデックス画像の表示時に、前記用紙サイズ読み出し手段が読み出した用紙サイズを、前記ファイル情報表示制御手段が表示させるべく、コンピュータを機能させることを特徴とする請求項１乃至請求項３のいずれかに記載の画像表示プログラム。
ものである。
【００１３】
この構成によれば、インデックス画像表示制御手段によって表示されるインデックス画像について、当該インデックス画像が属するファイルの用紙サイズを、用紙サイズ読み出し手段がファイル情報から読み出し、インデックス画像表示制御手段がインデックス画像と共に当該用紙サイズを表示するので、ユーザは、ディスプレイの表示画面を視認すれば、表示されているインデックス画像が示す内容を印刷するときの用紙サイズを容易に把握することができる。
【００１４】
また、請求項５に記載の発明は、請求項１乃至請求項４のいずれかに記載の画像表示プログラムであって、前記ファイル群を構成する総ファイル数を確認するファイル数確認手段と、
前記ファイル群が複数ファイルからなることを示すサンプル画像のデータを記憶する画像記憶手段とを備え、
前記ファイル数確認手段によって複数のファイル数が確認されたとき、前記ファイル情報表示制御手段が前記画像記憶手段から前記サンプル画像を読み出して、当該サンプル画像を前記ファイル群のインデックス画像の表示時に表示させるように、コンピュータを機能させるものである。
【００１５】
この構成によれば、ファイル数確認手段によって複数のファイル数が確認されたとき、ファイル情報表示制御手段が画像記憶手段から上記サンプル画像を読み出し、上記インデックス画像表示時に表示するので、ユーザは、ディスプレイの表示画面を視認すれば、表示されているインデックス画像が複数ファイルから構成されるファイル群を示すのか、単一のファイルを示すのかを直感的に把握することができる。
【００１６】
【発明の実施の形態】
以下、本発明に係る画像表示装置及び画像表示プログラムの一実施形態について図面を参照して説明する。図１は本発明に係る画像表示装置の概略構成を示すブロック図である。図１に示す画像表示装置１は、パーソナルコンピュータ等から構成される。画像表示装置１は、装置全体の動作制御を司るＣＰＵ２を備え、このＣＰＵ２には、内部バスによって入力装置３，ＲＯＭ４，ＲＡＭ５，記憶装置６，ディスプレイ７及び記録媒体読取装置８が接続されている。これら各部はＣＰＵ２の制御の下、内部バスを介して各種データが各部間で入出力され、各種処理が実行される。
【００１７】
入力装置３はキーボードやマウス等から構成され、ユーザによって操作指示等が入力される。ＲＯＭ４には、装置全体の動作制御用のシステムプログラム等が記憶されている。記憶装置６はハードディスクドライブ等から構成され、本発明に係る画像表示プログラム等が記憶されている。ＣＰＵ２は、記憶装置６から画像表示プログラム等を読み出し、その処理を実行して各ブロックの動作を制御する。また、ＲＡＭ５はＣＰＵ２の作業領域として用いられる。ディスプレイ７はＣＲＴ又は液晶表示装置等からなり、ＣＰＵ２による制御で各種画面を表示する。
【００１８】
上記画像表示プログラムは、ＣＤ−ＲＯＭ、ＦＤ等の記録媒体９から、ディスクドライブ等で構成される記録媒体読取装置８により記憶装置６に記録するようにしてもよい。また、当該画像表示装置１がネットワークを介して他のコンピュータ等に接続されている場合には、当該他のコンピュータ等からネットワークを介して画像表示プログラム等をダウンロードしてもよい。
【００１９】
次に、上記のように構成された画像表示装置１の主要な機能について説明する。図２は画像表示装置１の主要機能ブロック図である。図２に示すように、画像表示装置１では、記憶装置６に記憶されている画像表示プログラムに従って、ＣＰＵ２がプログラム実行部として機能する。記憶装置６に記憶されているテキスト形式等の文書データ１，２，３や、ＰＤＦ形式，ＪＰＥＧ形式等の画像データ１〜ｎが読み出しの対象となる。なお、読み出しの対象となる文書データ及び画像データ等は記録媒体９に記憶されているものであってもよい。記憶装置６から読み出された文書データ及び画像データは、その内容を所定サイズに縮小したインデックス画像（サムネイル画像）がＣＰＵ２によって生成され、このインデックス画像は画像メモリとして機能するＲＡＭ５（図２では図外）に一旦転送され、ディスプレイ７に表示される。
【００２０】
ＣＰＵ２は、記憶装置６内の画像表示プログラムの指示に基づいて、記録媒体９又は記憶装置６に記憶されているファイルデータ（文書データ，画像データ等）及び当該ファイルに付随するファイル情報（当該ファイルを開くために用いるアプリケーションの種類，印刷時の用紙サイズ、ファイルページ数、表示中のインデックス画像が属するファイルや当該ファイルにおける何ページ目を示すか等の情報）を読み出すデータ読出部２１と、データ読出部２１が読み出したファイルデータに基づいてインデックス画像を各ファイルのページ毎に生成するインデックス画像生成部２２と、後述するサンプル画像を生成するサンプル画像生成部２３と、ディスプレイ７の画面上に表示されたインデックス画像の中から選択されたインデックス画像を認識する選択画像認識部２４と、選択画像認識部２４によって認識されたインデックス画像に対応するファイルを特定し、選択されたファイル同士を相互に関連付けて、仮想的に１つのファイル群として管理するファイル管理部２５と、ユーザからのページ指定及びファイル指定を受け付ける指定受付部２６と、上記インデックス画像、サンプル画像及びファイル情報をディスプレイ７の画面上に表示させる画像表示制御部２７として機能する。
【００２１】
インデックス画像生成部２２は、上記のように、記憶装置６又は記録媒体９から読み出したファイルデータを縮小加工することにより、ファイルの中身を示すためのインデックス画像（サムネイル画像）を生成する。また、インデックス画像生成部２２は、上記指定受付部２６がファイル指定やページ指定（ファイル群全体を通して何ページ目かの指定等）を受け付けた場合に、当該指定を受けたファイルの先頭ページや、指定を受けたページのインデックス画像の生成処理等を行う。
【００２２】
上記サンプル画像生成部２３は、画像表示プログラム内のサンプル画像データ記憶部からサンプル画像データを読み出してサンプル画像を生成する。このサンプル画像は、ファイルの種類（例えば、当該ファイルを開くために用いるアプリケーションの種類を認識できるような縮小画像等を採用する。後述の図１０参照）を表示するための画像や、複数ファイルからなるファイル群のインデックス画像の表示時に、当該ファイル群が複数ファイルからなることをユーザに認識させるために表示する画像のことである（例えば、クリップ等、当該ファイル群が複数ファイルから構成されていることを連想しやすい物の画像を採用する。後述の図１２参照）。
【００２３】
ファイル管理部２５は、ユーザによって複数のインデックス画像が選択されたことを選択画像認識部２４が認識したときに、選択されたインデックス画像に対応するそれぞれのファイルを相互に関連付けて仮想的に１つのファイル群として管理するものである。この場合、各ファイルの名称や種類（当該ファイルを開く場合に用いるアプリケーションの種類）の異同に拘わらず、１つのファイルとして取り扱うようにする。
【００２４】
最初に、記憶装置６等に記憶されているファイルのインデックス画像を生成する基本的な処理について説明する。図３は当該処理を示すフローチャートである。当該インデックス画像の生成処理を行う場合、記憶装置６等に記憶されているファイルのファイルデータを読み出す（Ｓ１）。このとき、ファイルが複数ページからなるときは第１ページのファイルデータを読み出す。そして、読み出したファイルデータから構成される画像を所定サイズに縮小してインデックス画像を生成する（Ｓ２）。そして、生成したインデックス画像のデータをＲＡＭ５（画像メモリ）に転送し（Ｓ３）、当該インデックス画像をディスプレイ７に表示させる（Ｓ４）。以上の処理は、記録装置６等に記録されている各ファイルについて行う。
【００２５】
次に、複数のファイルを積み重ねる場合の処理について説明する。図４は当該処理を示すフローチャート、図５（ａ）（ｂ）は積み重ね処理を行うファイルを選択する操作時のディスプレイ画面を示す図、（ｃ）は積み重ね処理後のインデックス画像を表示するディスプレイ画面を示す図である。
【００２６】
記憶装置６等に記憶されている各ファイルのインデックス画像がディスプレイ７に一覧表示されている状態において（Ｓ１１）、ユーザが所望のインデックス画像上でマウスポインタ（ポインタの一例）を左クリック等して所望のファイルを選択すると、当該選択されたファイルを積み重ね元のファイルとして認識し（Ｓ１２）、選択されたインデックス画像を太枠で表示する（図５（ａ））。
【００２７】
そして、いわゆるドラッグ＆ドロップ操作等によって、選択した上記インデックス画像をユーザが別のインデックス画像上に移動させると、当該移動された先のインデックス画像に対応するファイルを積み重ね先のファイルとして認識し（Ｓ１３）、当該積み重ね先のインデックス画像を色を変える等により表示する（図５（ｂ））。この積み重ね先のファイルの認識後、選択された２つのファイルを関連付ける（Ｓ１４）。すなわち、これら複数のファイルをリンクさせて仮想的に１つのファイル群として扱い、当該ファイル群を構成する総ファイル数及びファイル群全体のトータルページ数等の情報を保有しておく。そして、例えば、ファイル群を構成する各ファイルのページ毎のインデックス画像を表示する場合、各ファイルの名称や種類の異同に拘わらず、インデックス画像を連続してシームレスに表示可能とするものである。
【００２８】
この後、Ｓ１２で選択された積み重ね元ファイルのインデックス画像を非表示とし（Ｓ１５）、上記複数のファイルが１つのファイルにまとめられたかのように見せかけてインデックス画像を表示する（図５（ｃ））。当該積み重ね処理後のインデックス画像は、図５（ｃ）に示すように、複数ファイルが積み重ねられている印象をユーザに与えることができるような表示にすることが好ましい。なお、当該インデックス画像と共に表示される各種ファイル情報の取得及び表示に関する処理は後述する。
【００２９】
上記積み重ね処理がされたファイル群について、総ファイル数及び総ページ数の情報を取得する処理について具体的に説明する。図６は当該処理のフローチャートである。まず、ファイル群を構成するファイル数Ｆ（Ｎ）を確認すると共に、ファイルのページ数Ｐ（Ｎ）を確認する（Ｓ２１）。このとき、積み重ねカウンタＮの初期値は１とする。次に、ファイル群全体の総ページ数をＳＰ（Ｎ）＝ＳＰ（Ｎ−１）＋Ｐ（Ｎ）の式に基づいて算出すると共に、総ファイル数をＳＦ（Ｎ）＝ＳＦ（Ｎ−１）＋Ｆ（Ｎ）の式に基づいて算出する（Ｓ２２）。このとき、例えば、当該ファイル群が単一のファイルからなるときは、当該１のファイルについてのページ数Ｐ（１）及びファイル数Ｆ（１）が総ページ数ＳＰ（１）及び総ファイル数ＳＦ（１）として算出されることになる。
【００３０】
そして、積み重ね処理がされた場合は（Ｓ２３で積み重ね）、積み重ねカウンタの値をインクリメントしてＮ＝Ｎ＋１とし（Ｓ２４）、再度Ｓ２１の処理を行う。これにより、ファイル群を構成するファイル数が積み重ね処理によって１つ追加された場合は、Ｎ＝２としてＳ２１の処理が実行されるため、追加された２つ目のファイルについてのファイル数Ｆ（２）及びページ数Ｐ（２）が確認される。そして、Ｓ２２では、それまでの総ファイル数ＳＦ（１）＝１に、追加された２つ目のファイルの数Ｆ（２）＝１が加算されることによって、当該ファイル群を構成する総ファイル数がＳＦ（２）＝２として算出される。さらに、それまでの総ページ数ＳＰ（１）に、追加された２つ目のファイルのページ数Ｐ（２）が加算されることによって、当該ファイル群を構成する総ページ数ＳＰ（２）が算出される。例えば、それまでの総ページ数ＳＰ（１）が５枚であり、２つ目のファイルのページ数Ｐ（２）が３枚である場合は、総ページ数ＳＰ（２）は８枚と算出されることになる。この一連の処理を繰り返すことによって、ファイルが積み重ね処理された場合に、ファイル群全体の総ページ数及び総ファイル数を算出することができる。
【００３１】
また、Ｓ２３において、ばらし処理がされた場合は、ばらし処理特有のファイル数及びページ数情報取得処理が行われる（Ｓ２５）。
【００３２】
上記複数ファイルで構成されるファイル群について、ばらし処理がされた場合に、当該ファイル群を構成する各ファイルのページ数情報を取得する処理について具体的に説明する。図７は当該処理のフローチャートである。複数ファイルで構成されるファイル群についてばらし処理がされた場合、初期値をＢ＝１として、当該ファイル群を構成している各ファイルについて各ページ数Ｐ（Ｎ）を確認する（Ｓ２１１）。このとき、各ファイルの数は１に固定される。そして、ばらし処理後のファイルに対して、更にばらし処理が行われた場合は（Ｓ２１２でＹＥＳ）、すなわち、単一のファイルについて、当該ファイルを構成する各ページの単位までばらす処理が行われた場合は、初期値をＢ＝Ｂ＋１として、ページ単位のばらし処理特有のファイル数及びページ数情報取得処理が行われる（Ｓ２１３）。
【００３３】
上記のように単一のファイルをページ単位にばらす処理が行われた場合に、各ページの情報を取得する処理について具体的に説明する。図８は当該処理のフローチャートである。１つのファイルをページ単位にばらす処理が行われる場合、すなわち、初期値がＢ＝２である場合、ばらし後のファイルは各ページ単位に分かれるので、各ページ数及びファイル数は１に固定される（Ｓ２２１）。そして、ページ単位にばらした後のファイルに対して、更にばらし処理が行われた場合（Ｓ２２２でＹＥＳ）、上記Ｓ２２１の処理を繰り返す。この場合、先の処理結果と同様のページ数及びファイル数情報が得られることになる。
【００３４】
次に、上記ファイル群のファイル情報を表示する処理について説明する。図９は当該処理を示すフローチャート、図１０はファイル情報が表示された状態のインデックス画像の例を示す図である。上記のように複数のファイルを積み重ねてファイル群を構成した場合、当該ファイル群を示すインデックス画像と共に、このファイル群を構成する総ファイル数や、ファイル群全体の総ページ数、各ファイル毎のページ数等のファイル情報を表示する。このようなファイル情報を表示する場合は、上記図６で示した処理で算出された、ファイル群の総ファイル数を確認し（Ｓ３１）、当該ファイル群を構成する各ファイルのページ数を確認し（Ｓ３２）、ファイル群全体の総ページ数を確認する（Ｓ３３）。
【００３５】
さらに、ファイル群を構成する各ファイルの種類、及び各ファイルについて設定されている印刷時の用紙サイズを確認し（Ｓ３４，Ｓ３５）、この各ファイルの種類に対応するサンプル画像を画像表示プログラムのサンプル画像データから読み出す（Ｓ３６）。そして、これら総ファイル数、各ファイルのページ数、ファイル群全体の総ページ数、及び各ファイルの用紙サイズからなるファイル情報に対応するフォントデータと、各ファイルの種類を示すサンプル画像のデータとを画像メモリ（ＲＡＭ５）に転送し（Ｓ３７）、インデックス画像と共にディスプレイ７に表示させる（Ｓ３８）。以上の処理は、記憶装置６等に記録されている全てのファイル群について行う。
【００３６】
ファイル群を構成する複数ファイルの第１番目として設定されているファイルの第１ページのインデックス画像を表示する場合、図１０に示すように、例えば、ファイル群が３つのファイルからなるときは、インデックス画像の下に「ファイルＮｏ．　１／３」と表示することによって、総ファイル数と、インデックス画像として表示されているページが属するファイル（総ファイル数の中で何番目かを表示することによって当該ファイルを特定）とを表示する。さらに、例えば、当該ファイル群全体の総ページ数が９ページであるとすると、当該インデックス画像がファイル群全体の第１ページである場合は「ページＮｏ．　１／９」と表示し、各ファイルがそれぞれ３ページで構成されているとすると、「ページＮｏ．　１／９」の表示に並べて「１／３　０／３　０／３」と表示して、当該インデックス画像はファイル群の中で１番目のファイルの第１ページである旨を明示するようにする。各ファイルの印刷時の用紙サイズはインデックス画像の上に表示する。
【００３７】
次に、ファイル群のファイル情報を表示する処理の他の実施形態について説明する。図１１は当該処理を示すフローチャート、図１２は当該処理に基づいてファイル情報が表示されたインデックス画像の例を示す図である。なお、以下の説明においては、上記図９に示したファイル情報表示処理と同様の処理については説明を省略する。
【００３８】
上記ファイル情報表示処理を行う場合、当該ファイル群が複数ファイルから構成されていることを明確に示すためのサンプル画像をインデックス画像と共に表示するようにしてもよい。この場合、当該ファイル群の総ファイル数が複数であることが確認されたことをもって（Ｓ４１，Ｓ４２でＹＥＳ）、画像表示プログラムから、ファイル群が複数ファイルから構成されていることを明確に示すためのサンプル画像データ（例えば、クリップ等の画像を示すデータ）を読み出し（Ｓ４３）、当該サンプル画像データを、各ファイル情報に対応するフォントデータと共に画像メモリ（ＲＡＭ５）に転送し（Ｓ４９）、ディスプレイ７に表示させる（Ｓ５０）。
【００３９】
次に、ファイル群を構成する各ファイルのページ毎にインデックス画像を順次表示する処理について説明する。図１３は当該処理を示すフローチャート、図１４は当該処理に基づいてファイル情報が表示されたインデックス画像の例を示す図である。ファイル群を示すインデックス画像及びファイル情報を表示している状態において（Ｓ５１）、例えば、インデックス画像の下に表示されているページ番号横の矢印キー（図１２参照）をマウスポインタでクリックする操作等により、ファイル群全体において何ページ目を表示させるかが指定されると（Ｓ５２でＹＥＳ）、当該指定されたページに対応するファイルデータを記憶装置６等から読み出して（Ｓ５３）、当該指定ページのインデックス画像を生成する（Ｓ５４）。
【００４０】
そして、上記指定されたページが属するファイル、当該指定ページが当該ファイル内で何頁目か、及び当該ファイルの印刷時の用紙サイズの情報を取得する（Ｓ５５，Ｓ５６，Ｓ５７）。そして、指定ページが属するファイル、当該指定ページの当該ファイル内で何ページ目か、当該ファイルの印刷時の用紙サイズ、及び当該指定ページがファイル群全体で何頁目かのファイル情報に対応するフォントデータ、及び上記インデックス画像のデータを画像メモリ（ＲＡＭ５）に転送し（Ｓ５８）、当該インデックス画像及びファイル情報を、それまで表示されていたインデックス画像及びファイル情報に代えてディスプレイ７に表示させる（Ｓ５９）。
【００４１】
図１４に示すように、例えば、表示するインデックス画像が、３つのファイルからなるファイル群の中で１番目のファイルに属する場合は、インデックス画像の下に「ファイルＮｏ．　１／３」と表示することによって、総ファイル数と、インデックス画像として表示されているページが属するファイル（総ファイル数の中で何番目かを表示することによって当該ファイルを特定）とを表示する。更に、当該ファイル群全体の総ページ数が９ページであるとすると、当該インデックス画像がファイル群全体の第１ページである場合は「ページＮｏ．　１／９」と表示し、各ファイルがそれぞれ３ページで構成されるとすると、「ページＮｏ．　１／９」の表示に並べて「１／３　０／３　０／３」と表示して、当該インデックス画像はファイル群の中で１番目のファイルの第１ページである旨を明示する。各ファイルの印刷時の用紙サイズは、Ｓ５２で指定されたページが属するファイルの用紙サイズが目立つようにして、インデックス画像の上に表示される。これらファイルＮｏ．やページＮｏ．の表示は、上記ページ指定に応じて、対応する数値が順次表示される。
【００４２】
このように、本実施形態に係る画像表示プログラム及び画像表示装置によれば、画像表示制御部２７によって各ファイルのページ毎に表示されるインデックス画像について、データ読出部２１が、当該インデックス画像の属するファイルや、このインデックス画像が当該ファイルの何ページ目にあたるか等の情報を確認し、上記インデックス画像の表示時には、画像表示制御部２７が、当該インデックス画像が属するファイルと、当該ファイルにおいて何ページ目か等の情報を表示するので、ユーザは、ディスプレイ７の表示画面を視認すれば、表示されているインデックス画像が、当該ファイル群のどのファイルの何ページ目を示しているかを容易に把握でき、各ファイルの内容を詳細に把握することができる。
【００４３】
なお、本発明は上記実施の形態の構成に限られず種々の変形が可能である。例えば、上記実施形態では、ファイル群を構成する全てのファイルについて、ファイル種類を確認して、対応するサンプル画像を表示するようにしているが、インデックス画像として表示されているページが属するファイルについてのみファイル種類を確認して表示するようにしてもよい。
【００４４】
また、上記実施形態では、ファイル群を構成する全てのファイルについて、印刷時の用紙サイズを確認して、インデックス画像と共に表示するようにしているが、インデックス画像として表示されているページが属するファイルについてのみ用紙サイズを確認して表示するようにしてもよい。
【００４５】
また、上記実施形態では、表示されているインデックス画像が、ファイル群全体では何ページ目にあたるかを確認して表示するようにしているが、表示されているインデックス画像の属するファイル内において何ページ目であるかのみを表示するようにしてもよい。
【００４６】
また、上記実施形態では、表示されているインデックス画像が属するファイルを、サンプル画像データや、ファイル群において何番目のファイルであるか、を表示することによって示しているが、ファイル名や、ファイルを開くために用いるアプリケーション名等を表示する等、他の表示形態でもよいことは勿論である。
【００４７】
また、上記実施形態では、複数ファイルからなるファイル群について、各ファイルの各ページ毎にインデックス画像を表示し、これに対応するファイル情報を表示するようにしているが、単一のファイルについても同様の表示処理を行うようにしてもよい。
【００４８】
また、上記実施形態では、ファイル群を構成する各ファイルについての用紙サイズを確認してインデックス画像と共に表示するようにしているが、各々のファイル内で各ページ毎に異なる用紙サイズが設定されている場合には、各ページ毎の用紙サイズを確認して、上記インデックス画像と共に表示するようにしてもよい。
【００４９】
また、上記インデックス画像と共に表示するファイル情報は、上記実施形態で示したものに限られず、ファイルに付随する他の様々な情報について表示可能である。
【００５０】
【発明の効果】
以上のように請求項１及び請求項６に記載の発明によれば、ディスプレイに表示されるインデックス画像について、当該インデックス画像の属するファイル、及び当該インデックス画像がこのファイルの何ページ目にあたるかの情報が、上記インデックス画像と共に表示されるので、ユーザはディスプレイに表示されたインデックス画像を視認すれば、表示されているインデックス画像がファイル群のどのファイルの何ページ目を示しているかを容易に把握でき、各ファイルの内容を詳細に把握することができる。
【００５１】
また、請求項２に記載の発明によれば、ディスプレイに表示されるインデックス画像について、当該インデックス画像がファイル群を構成する全ファイルを通して何ページ目にあたるかの情報が、上記インデックス画像と共に表示されるので、ユーザはディスプレイの表示画面を視認すれば、当該インデックス画像がファイル群全体で通算何ページ目の画像を示すのかを容易に把握することができる。
【００５２】
また、請求項３に記載の発明によれば、ディスプレイに表示されるインデックス画像について、当該インデックス画像が属するファイルの種類が当該インデックス画像と共に表示されるので、ユーザは、ディスプレイの表示画面を視認すれば、表示中のインデックス画像が属するファイルの種類を容易に把握することができる。
【００５３】
また、請求項４に記載の発明によれば、ディスプレイに表示されるインデックス画像について、当該インデックス画像が属するファイルの用紙サイズが、当該インデックス画像と共に表示されるので、ユーザは、ディスプレイの表示画面を視認すれば、表示されているインデックス画像が示す内容を印刷する時の用紙サイズを容易に把握することができる。
【００５４】
また、請求項５に記載の発明によれば、ディスプレイに表示されるインデックス画像が複数ファイルからなるファイル群を示すときは、当該ファイル群が複数ファイルからなることを示すサンプル画像を読み出して、上記インデックス画像表示時に表示するので、ユーザは、ディスプレイの表示画面を視認すれば、表示されているインデックス画像が複数ファイルから構成されるファイル群を示すのか、単一のファイから構成されるのかを直感的に把握することができる。
【図面の簡単な説明】
【図１】本発明に係る画像表示装置の概略構成を示すブロック図である。
【図２】本発明に係る画像表示装置の主要機能ブロック図である。
【図３】各ファイルのインデックス画像の生成処理を示すフローチャートである。
【図４】複数のファイルを積み重ねる場合の処理処理を示すフローチャートである。
【図５】（ａ）（ｂ）は積み重ね処理を行うファイルを選択する操作時のディスプレイ画面を示す図、（ｃ）は積み重ね処理後のインデックス画像を表示するディスプレイ画面を示す図である。
【図６】積み重ね処理がされた複数ファイルからなるファイル群について、総ファイル数及び総ページ数の情報を取得する処理を示すフローチャートである。
【図７】複数ファイルで構成されるファイル群について、ばらし処理がされた場合に、当該ファイル群を構成する各ファイルのページ数情報を取得する処理のフローチャートである。
【図８】単一のファイルをページ単位にばらす処理が行われた場合に、各ページの情報を取得する処理のフローチャートである。
【図９】ファイル群のファイル情報を表示する処理を示すフローチャートである。
【図１０】ファイル情報が表示された状態のインデックス画像の例を示す図である。
【図１１】ファイル群のファイル情報を表示する処理の他の実施形態を示すフローチャートである。
【図１２】図１１に示す処理に基づいてファイル情報が表示されたインデックス画像の例を示す図である。
【図１３】ファイル群を構成する各ファイルのページ毎にインデックス画像を順次表示する処理を示すフローチャートである。
【図１４】図１３に示す処理に基づいてファイル情報が表示されたインデックス画像の例を示す図である。
【符号の説明】
１　　画像表示装置
６　　記憶装置
７　　ディスプレイ
９　　記録媒体
２１　データ読出部
２２　インデックス画像生成部
２３　サンプル画像生成部
２４　選択画像認識部
２５　ファイル管理部
２６　指定受付部
２７　画像表示制御部
【図１】
2004145568.tif 000003
【図２】
2004145568.tif 000004
【図３】
2004145568.tif 000005
【図４】
2004145568.tif 000006
【図５】
2004145568.tif 000007
【図６】
2004145568.tif 000008
【図７】
2004145568.tif 000009
【図８】
2004145568.tif 000010
【図９】
2004145568.tif 000011
【図１０】
2004145568.tif 000012
【図１１】
2004145568.tif 000013
【図１２】
2004145568.tif 000014
【図１３】
2004145568.tif 000015
【図１４】
2004145568.tif 000016